【手続補正書】
【提出日】平成23年9月29日(2011.9.29)
【手続補正１】
【補正対象書類名】明細書
【補正対象項目名】発明の名称
【補正方法】変更
【補正の内容】
【発明の名称】表示装置
【手続補正２】
【補正対象書類名】明細書
【補正対象項目名】０００１
【補正方法】変更
【補正の内容】
【０００１】
本発明は、有機ＥＬ素子を用いた表示装置に関する。
【手続補正３】
【補正対象書類名】明細書
【補正対象項目名】０００７
【補正方法】変更
【補正の内容】
【０００７】
以上の課題を解決するため、本発明の第１の態様によれば、表示信号に応じて発光した光を出射する発光面を有する発光素子を有する発光画素が複数２次元配列された表示領域を有し、該表示領域が複数の表示エリアに分割された表示パネルと、
前記表示パネルの前記表示領域上に、該表示領域の全体に亘って配置され、前記複数の表示エリアの各々に対応した複数の液晶画素を有し、該各液晶画素は単一の液晶素子を有し、該各液晶画素において、対応する前記表示エリアの前記各発光画素の前記発光面から出射された光の一部を視野側に前記液晶素子の透過率に応じて透過し、透過した光を外部に出射する液晶パネルと、
を備え、
全ての前記発光画素の前記各発光素子が前記表示信号に応じて発光して出射する光の波長分布は同一に設定され、
前記液晶パネルの前記各液晶画素における前記液晶素子に印加する印加電圧を個別に制御して、前記各液晶画素の前記液晶素子に前記透過率の波長分布を個別に変化させて、前記液晶画素を透過した光の波長分布に基づく表示色を前記表示エリア毎に個別に変化させることを特徴とする表示装置が提供される。
【手続補正４】
【補正対象書類名】明細書
【補正対象項目名】０００８
【補正方法】変更
【補正の内容】
【０００８】
好ましくは、全ての前記発光画素の前記各発光素子は、前記発光面から出射する光の発光波長が白色をなす波長分布を有する。
好ましくは、前記表示パネルの前記発光面と前記液晶パネルとの間に配置された、外光の反射を防止する第１の位相差板を有する。
好ましくは、前記液晶パネルは、液晶層と、該液晶層を挟持する２枚の透明基板と、該各透明基板の外側に配置された２枚の偏光板と、前記視野側の前記透明基板と前記偏光板との間に配置された第２の位相差板を有する。
好ましくは、前記液晶素子はホモジニアス型の液晶素子を有する。
好ましくは、前記液晶素子はインプレインスイッチング型の液晶素子を有する。
【手続補正５】
【補正対象書類名】明細書
【補正対象項目名】０００９
【補正方法】変更
【補正の内容】
【０００９】
本発明の第２の態様によれば、表示信号に応じて発光した光を出射する発光面を有する発光素子を有する発光画素が複数２次元配列された表示領域を有し、該表示領域が複数の表示エリアに分割された表示パネルと、
前記表示パネルの前記表示領域上に、該表示領域の全体に亘って配置され、前記複数の表示エリアの各々に対応した複数の液晶画素を有し、該各液晶画素は単一の液晶素子を有し、該各液晶画素において、対応する前記表示エリアの前記各発光素子の前記発光面から出射された光の一部を前記液晶素子の透過率に応じて視野側に透過し、透過した光を外部に出射する液晶パネルと、
を備え、
全ての前記発光画素の前記各発光素子が前記表示信号に応じて発光して出射する光の波長分布は同一に設定され、
前記液晶パネルの前記各液晶画素における前記液晶素子に印加する印加電圧を個別に制御して、前記各液晶画素の前記液晶素子の前記透過率及び外光に対する反射率の波長分布を個別に変化させて、前記透過した光と前記反射した光との波長分布に基づく表示色を前記表示エリア毎に個別に変化させることを特徴とする表示装置が提供される。
【手続補正６】
【補正対象書類名】明細書
【補正対象項目名】００１０
【補正方法】変更
【補正の内容】
【００１０】
好ましくは、全ての前記発光画素の前記各発光素子は、前記発光面から出射する光の発光波長が白色をなす波長分布を有する。
好ましくは、前記表示パネルの前記発光面と前記液晶パネルとの間に配置された、外光の反射を防止する第１の位相差板を有する。
好ましくは、前記液晶パネルは、液晶層と、該液晶層を挟持する２枚の透明基板と、該各透明基板の外側に配置された２枚の偏光板と、前記視野側の前記透明基板と前記偏光板との間に配置された第２の位相差板を有する。
好ましくは、前記液晶素子はゲストホスト型の液晶素子を有する。
好ましくは、前記液晶素子はコレステリック型の液晶素子を有する。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】変更
【補正の内容】
【００１３】
本発明によれば、簡易な構造で異なる色の表示を可能とする表示装置を提供することができる。
【手続補正１０】
【補正対象書類名】特許請求の範囲
【補正対象項目名】全文
【補正方法】変更
【補正の内容】
【特許請求の範囲】
【請求項１】
表示信号に応じて発光した光を出射する発光面を有する発光素子を有する発光画素が複数２次元配列された表示領域を有し、該表示領域が複数の表示エリアに分割された表示パネルと、
前記表示パネルの前記表示領域上に、該表示領域の全体に亘って配置され、前記複数の表示エリアの各々に対応した複数の液晶画素を有し、該各液晶画素は単一の液晶素子を有し、該各液晶画素において、対応する前記表示エリアの前記各発光画素の前記発光面から出射された光の一部を視野側に前記液晶素子の透過率に応じて透過し、透過した光を外部に出射する液晶パネルと、
を備え、
全ての前記発光画素の前記各発光素子が前記表示信号に応じて発光して出射する光の波長分布は同一に設定され、
前記液晶パネルの前記各液晶画素における前記液晶素子に印加する印加電圧を個別に制御して、前記各液晶画素の前記液晶素子に前記透過率の波長分布を個別に変化させて、前記液晶画素を透過した光の波長分布に基づく表示色を前記表示エリア毎に個別に変化させることを特徴とする表示装置。
【請求項２】
全ての前記発光画素の前記各発光素子は、前記発光面から出射する光の発光波長が白色をなす波長分布を有することを特徴とする請求項１に記載の表示装置。
【請求項３】
前記表示パネルの前記発光面と前記液晶パネルとの間に配置された、外光の反射を防止する第１の位相差板を有することを特徴とする請求項１又は２に記載の表示装置。
【請求項４】
前記液晶パネルは、液晶層と、該液晶層を挟持する２枚の透明基板と、該各透明基板の外側に配置された２枚の偏光板と、前記視野側の前記透明基板と前記偏光板との間に配置された第２の位相差板を有することを特徴とする請求項３記載の表示装置。
【請求項５】
前記液晶素子はホモジニアス型の液晶素子を有することを特徴とする請求項１乃至４の何れか一項に記載の表示装置。
【請求項６】
前記液晶素子はインプレインスイッチング型の液晶素子を有することを特徴とする請求項１乃至４の何れか一項に記載の表示装置。
【請求項７】
表示信号に応じて発光した光を出射する発光面を有する発光素子を有する発光画素が複数２次元配列された表示領域を有し、該表示領域が複数の表示エリアに分割された表示パネルと、
前記表示パネルの前記表示領域上に、該表示領域の全体に亘って配置され、前記複数の表示エリアの各々に対応した複数の液晶画素を有し、該各液晶画素は単一の液晶素子を有し、該各液晶画素において、対応する前記表示エリアの前記各発光素子の前記発光面から出射された光の一部を前記液晶素子の透過率に応じて視野側に透過し、透過した光を外部に出射する液晶パネルと、
を備え、
全ての前記発光画素の前記各発光素子が前記表示信号に応じて発光して出射する光の波長分布は同一に設定され、
前記液晶パネルの前記各液晶画素における前記液晶素子に印加する印加電圧を個別に制御して、前記各液晶画素の前記液晶素子の前記透過率及び外光に対する反射率の波長分布を個別に変化させて、前記透過した光と前記反射した光との波長分布に基づく表示色を前記表示エリア毎に個別に変化させることを特徴とする表示装置。
【請求項８】
全ての前記発光画素の前記各発光素子は、前記発光面から出射する光の発光波長が白色をなす波長分布を有することを特徴とする請求項７に記載の表示装置。
【請求項９】
前記表示パネルの前記発光面と前記液晶パネルとの間に配置された、外光の反射を防止する第１の位相差板を有することを特徴とする請求項７又は８に記載の表示装置。
【請求項１０】
前記液晶パネルは、液晶層と、該液晶層を挟持する２枚の透明基板と、該各透明基板の外側に配置された２枚の偏光板と、前記視野側の前記透明基板と前記偏光板との間に配置された第２の位相差板を有することを特徴とする請求項９に記載の表示装置。
【請求項１１】
前記液晶素子はゲストホスト型の液晶素子を有することを特徴とする請求項７乃至１０の何れか一項に記載の表示装置。
【請求項１２】
前記液晶素子はコレステリック型の液晶素子を有することを特徴とする請求項７乃至１０の何れか一項に記載の表示装置。